(57)【要約】【課題】  電動ステープラと電動鉛筆削り機の機能を一体に構成して使用の便を図った電動鉛筆削り付きステープラを提供する。【解決手段】  下部筐体１０の前方寄りに電動鉛筆削り機３を収容し、下部筐体１０の天面を共用面１３として底面を構成する上部筐体１１に電動ステープラ２を収容し、電動ステープラ２にＤＣ電力を供給する電源トランス２１を下部筐体１０の後方寄りに配設してなる。前記共用面１３は電動ステープラ２に紙束を挿入するための紙置き台を兼ね、ハンマー２４により紙束を貫通させたステープルの両脚を折り曲げるカシメ板２５が配置されている。電動ステープラ２が上段に、電動鉛筆削り機３が下段に配置されているので、鉛筆削りにより発生する削り屑がステープルに影響を与えることがなく、重量バランスが下段寄りにあって安定性があり、机上の占有面積を少なくした電動鉛筆削り付きステープラを提供することができる。【選択図】  図２
2006326772.tif 000002
【特許請求の範囲】
【請求項１】
挿入口から鉛筆が差し込まれることにより起動して鉛筆を削る電動鉛筆削り機を下段に配し、綴じ合わせ位置に紙束が挿入されることにより起動して紙束をステープルによって綴じ合わせる電動ステープラを前記電動鉛筆削り機の上段に配してなることを特徴とする電動鉛筆削り付きステープラ。
【請求項２】
電動ステープラの電動駆動源とするＤＣ電力を生成する電源トランスを電動鉛筆削り機が配された下段側に配設してなる請求項１に記載の電動鉛筆削り付きステープラ。
【請求項３】
電動鉛筆削り機及び電動ステープラに駆動電力を供給する共通のＡＣ−ＤＣ変換回路が設けられてなる請求項１に記載の電動鉛筆削り付きステープラ。
【請求項４】
電動鉛筆削り機を収容する下部筐体の天面が、電動ステープラを収容する上部筐体の底面となる共用面に形成され、前記共用面は電動ステープラに挿入された紙束を綴じ合わせる紙置き台を兼ねるように構成されてなる請求項１〜３いずれか一項に記載の電動鉛筆削り付きステープラ。
【発明の詳細な説明】
【技術分野】
【０００１】
本発明は、電動ステープラと電動鉛筆削り機とを一体化した電動鉛筆削り付きステープラに関するものである。
【背景技術】
【０００２】
綴じ合わせる複数枚の紙束を所定綴じ合わせ位置に差し込むだけで自動的にステープルにより複数枚の紙を綴じ合わせることができる電動ステープラは、大量の書類を処理する事務作業などの能率を向上させることができる。このような電動ステープラとして、図４に示すような従来技術が知られている（例えば、特許文献１参照）。
【０００３】
この電動ステープラは、ＡＣ電力を電源トランス１０５によって所定電圧に降圧し、整流平滑化により得られるＤＣ電力をＤＣモータ１０８に供給し、ＤＣモータ１０８により駆動される駆動機構１０７によりクランクロッド１０６を揺動駆動し、クランクロッド１０６によりハンマー１０３を下降移動させることによりホルダ１０９に収納されたステープル列から１本のステープルを押し出し、紙置き台１０１上に差し入れられた紙束を貫通させ、紙置き台１０１下に配設されたカシメ板１０２によってステープルの一対の脚を内側に折り曲げることにより紙束は綴じ合わされる。この電動ステープラは紙束を紙置き台１０１上に差し込むことにより図示しないスイッチレバーが作動してＤＣモータ１０８を起動させ、綴じ合わせ後は自動的に停止するので、ステープルにより紙束を綴じ合わせる作業を格段に向上させることができる。
【０００４】
一方、電動鉛筆削り機は、シャープペンシルなど筆記具の多様化により鉛筆の使用が減少したといえども、デザイン作業など鉛筆の使用頻度が高く様々な種類の鉛筆を使い分ける現場では重宝な道具として用いられている。このような電動鉛筆削り機として様々な形態のものが知られている（例えば、特許文献２参照）。
【０００５】
図５は、電動鉛筆削り機の例を示すもので、鉛筆を挿入口１１０から差し込むことによりＡＣモータ１１５によりカッター１１１が回転駆動され、カッター１１１により鉛筆の挿入端は円錐状に削られ、カッター１１１による削り屑は受箱１１２内に貯留される。このように鉛筆を差し込むだけで素早く綺麗に削られるので、鉛筆を多用する作業の効率を向上させることができる。
【特許文献１】特開２０００−１５３４６９号公報
【特許文献２】特開平０６−２２７１９９号公報
【発明の開示】
【発明が解決しようとする課題】
【０００６】
電動ステープラ及び電動鉛筆削り機の両方を使用したいとき、２つの装置を机上に設置すると机上の有効面積を徒に減少させてしまうばかりでなく、駆動電源装置など共用できる構成要素が二重に必要になるなどの無駄が生じる。
【０００７】
本発明が目的とするところは、電動ステープラと電動鉛筆削り機とを一体に構成して設置及び使用の便に供することができる電動鉛筆削り付きステープラを提供することにある。
【課題を解決するための手段】
【０００８】
上記目的を達成するための本発明に係る電動鉛筆削り付きステープラは、挿入口から鉛筆が差し込まれることにより起動して鉛筆を削る電動鉛筆削り機を下段に配し、綴じ合わせ位置に紙束が挿入されることにより起動して紙束にステープルを打ち込んで紙束を綴じ合わせる電動ステープラを前記電動鉛筆削り機の上に配してなることを特徴とする。
【０００９】
上記構成になる電動鉛筆削り付きステープラによれば、電動鉛筆削り機及び電動ステープラの２つの機能を一体化しても両者が上下に配置されているので設置面積は小さく、机上を占有する面積を増加させることなく２つの機能を机上に配置することができる。また、鉛筆削りの機能を下段に配置しているので、鉛筆削りによって発生する削り屑がステープラの機能に影響を与えることがない。
【００１０】
上記構成において、電動ステープラの電動駆動源とするＤＣ電力を生成する電源トランスを電動鉛筆削り機が配された下段側に配設することにより、重量が大きい電源トランスが下段に位置することになり、全体の重量バランスが下寄りになるので安定性が向上し、上段に配した電動ステープラの体積を減少させることができるので、全体の小型化と安定性がより向上する。
【００１１】
また、電動鉛筆削り機及び電動ステープラに駆動電力を供給する共通のＡＣ−ＤＣ変換回路を設けることにより電源回路を共有化でき、全体の構成要素の削減がなされて小型化及びコストダウンを図ることができる。
【００１２】
また、電動鉛筆削り機を収容する下部筐体の天面が、電動ステープラを収容する上部筐体の底面となる共用面に形成され、前記共用面は電動ステープラに挿入された紙束を綴じ合わせる紙置き台を兼ねるように構成することにより、外装体の簡素化が図られると同時に、電動ステープラとして必須の構成要素である紙置き台を簡易に構成できる。
【発明の効果】
【００１３】
本発明によれば、電動鉛筆削り機及び電動ステープラの２つの機能を一体化し、それらを上下に配置しているので設置面積は小さく、机上を占有する面積を増加させることなく２つの機能を机上に配置することができ、鉛筆削りの機能を下段に配置しているので、鉛筆削りによって発生する削り屑はステープラの機能に影響を与えることがない。また、２つの機能を一体化することにより、共通する構成要素を共用してそれぞれを単独で構成する場合より小型化しコストダウンを図ることができる。
【発明を実施するための最良の形態】
【００１４】
図１は、第１の実施形態に係る電動鉛筆削り付きステープラＡの構成を外観形状として示すもので、下ケース１０ｂ上に中ケース１０ａを配した下部筐体１０内に収容された電動鉛筆削り機３の上に上部筐体１１に収容された電動ステープラ２を配置している。下部筐体１０を構成する中ケース１０ａの天面と上部筐体１１の底面とは共通する共用面１３として形成され、この共用面１３は電動ステープラ２に綴じ合わせる紙束を挿入する紙置き台を兼ねている。
【００１５】
図２は、上記構成になる電動鉛筆削り付きステープラＡを断面図として示すもので、樹脂成形によって下ケース１０ｂと中ケース１０ａとに分割構成された下部筐体１０内の前方側には電動鉛筆削り機３が配設され、下部筐体１０の天面である共用面１３を底面とする上部筐体１１内には電動ステープラ２が配設されている。前記鉛筆削り機３及び電動ステープラ２のいずれもＡＣ電力を動力源として動作するように構成されている。
【００１６】
前記電動ステープラ２は、従来技術として示したものと略同一構造に構成されたものであるが、電動駆動の動力源であるＤＣモータ２０及び制御回路に供給するＤＣ電力をＡＣ電力から生成するための電源回路を構成する電源トランス２１は、下部筐体１０内の電動鉛筆削り機３の後方に配設されている。この電源トランス２１の配置構造により、上段に配置された電動ステープラ２の小型化が図られ、重量が大きい電源トランス２１を下段に位置することにより全体の安定性を向上させる効果が得られる。
【００１７】
また、前記電動鉛筆削り機３も従来技術として示したものと略同一構造に構成されており、ＡＣモータ３０によってカッター３１を回転駆動し、挿入口３５から差し込まれた鉛筆を削り、削り屑は受箱３６に貯留できるように構成されている。
【００１８】
電動ステープラ２は、電源コード１４を通じて供給されるＡＣ電力を電源トランス２１により所定電圧に降圧し、整流平滑化して得られた所定電圧のＤＣ電力により動作する。この電動ステープラ２を収容する上部筐体１１の前方側は、図示するように共用面１３との間に所定間隔を隔てて開口し、綴じ合わせる紙束の挿入口を形成している。また、上部筐体１１の底面である前記共用面１３は、電動ステープラ２に綴じ合わせる紙束を挿入する紙置き台を兼ねており、図示するように前方側で緩やかに下向き傾斜に形成されて紙束の挿入が容易に行い得るようにしている。また、共用面１３には、ハンマー２４によって紙束を貫通させたステープルの両脚を折り曲げるカシメ板２５が固定されている。
【００１９】
前記共用面１３上を滑らせて前記カシメ板２５上に綴じ合わせ部位が位置するように紙束を挿入すると、紙束により図示しないスイッチレバーが作動して制御回路によりＤＣモータ２０への通電回路が閉じられてＤＣモータ２０が始動する。ＤＣモータ２０の回転により歯車列やクランク機構等からなる駆動機構２２が駆動してクランクロッド２３が揺動駆動されるので、クランクロッド２３の先端部が図示する上死点から下降方向に揺動する動作により紙押えロッド２６及びハンマー２４が下降動作を開始する。前記紙押えロッド２６は、後方側で軸支されて揺動可能に配設されているステープルホルダ２７を押圧してステープルホルダ２７の下面により紙束を共用面１３上に押し付けた状態にし、ハンマー２４は、ステープルホルダ２７に収納されたステープル列から１本のステープルを押し出し、ステープルの両脚を紙束に貫通させる。紙束を貫通したステープルの両脚はハンマー２４からの押圧によりカシメ板２５に形成された誘導溝に沿って折り曲げられるので、紙束はステープルによって綴じ合わされる。ハンマー２４を押し下げたクランクロッド２３は、ＤＣモータ２０の回転により下死点から上昇方向に揺動し、ハンマー２４及び紙押えロッド２６を上昇させるので、それらが図示する上死点に達した状態は図示しないハンマー位置検出手段によって検出され、ＤＣモータ２０への通電が停止されるので、ハンマー２４及び紙押えロッド２６は図示位置に停止して次の綴じ合わせ動作に備える。
【００２０】
前記上部筐体１１の前方開口部には、ステープルホルダ２７の針ケースノブ２７ａが位置しており、イジェクトボタン２８を押すことにより、ステープルホルダ２７からステープルを収納する針ケースが離脱するので、前記針ケースノブ２７ａを摘んで針ケースを引き出すと、針ケースにステープルを補充することができ、ステープルを補充した針ケースは針ケースノブ２７ａを押し込むことにより図示する状態にロックされる。
【００２１】
下部筐体１０内に配設された電動鉛筆削り機３は、下部筐体１０の前方側に削り屑を貯留する受箱３６が下部筐体１０から着脱可能に配設され、受箱３６の正面部に鉛筆を差し込む挿入口３５を開口させている。挿入口３５から鉛筆を差し込むと、鉛筆は円筒形に形成された案内筒３３内に侵入し、案内筒３３内に先端を突出したスイッチレバー３２を押し上げるので、バネ付勢されているスイッチレバー３２は後退移動してＡＣモータ３０の電源回路が閉じられてＡＣモータ３０が始動する。ＡＣモータ３０の回転により歯車列３４を介してカッター３１が回転駆動されるので、傾斜配置されたカッター３１により鉛筆の先端部は円錐状に削られる。
【００２２】
カッター３１により鉛筆を削った削り屑は受箱３６に落下して貯留されるので、受箱３６を下部筐体１０から前方に引き出すことにより下部筐体１０から離脱させることができ、削り屑の廃棄処理が簡単に行うことができる。この受箱３６を離脱させた状態では、図示しない受箱離脱検出手段によりＡＣモータ３０の電源回路が遮断されるので、受箱３６を引き出した状態でカッター３１が回転駆動されることはなく、受箱３６がない状態で鉛筆が削られて削り屑が飛散することがなく、回転部分が外部露出した状態で回転する危険性も回避される。
【００２３】
上記構成になる電動鉛筆削り付きステープラＡは、電動ステープラ２と電動鉛筆削り機３とを一体化しても両機能が上下に配設されているので設置面積は小さく、且つ電動ステープラ２の構成要素である電源トランス２１や回路基板２９は下部筐体１０側に配設しているので、電動ステープラ２の体積が大幅に縮小できる。また、重量が大きい電源トランス２１やＡＣモータ３０などを下部筐体１０内に配設しているので、重量バランスが下部寄りになり、上部に配設した電動ステープラ２の体積を縮小させているので、安定性を向上させることができる。従って、電動ステープラ２及び電動鉛筆削り機３の２つの機能を机上に配置しても、机上を占有する面積は１台分だけであり、いずれの機能を使用するときにも安定した使い勝手のよい利用が可能となる。
【００２４】
次に、本発明の第２の実施形態に係る電動鉛筆削り付きステープラＢについて、図３を参照して説明する。尚、第１の実施形態に係る電動鉛筆削り付きステープラＡと共通する構成要素には同一の符号を付し、その説明は省略する。
【００２５】
図３において、第２の実施形態に係る電動鉛筆削り付きステープラＢは、下部筐体１０内に配設した電動鉛筆削り機４のカッター３１をＤＣモータ４０によって回転駆動するように構成している。上部筐体１１内に配設した電動ステープラ２は、第１の実施形態の構成と同一である。
【００２６】
電源コード１４を通じて供給されるＡＣ電力は、下部筐体１０内に配設された電源トランス４１により所定電圧に降圧され、回路基板２９上に構成された電源回路によって整流平滑化されることにより所定電圧のＤＣ電力が生成される。このＤＣ電力は、電動鉛筆削り機４の駆動源であるＤＣモータ４０の駆動電力、電動ステープラ２の駆動源であるＤＣモータ２０の駆動電力及び電動ステープラ２の制御回路を動作させる制御電力として使用される。従って、電源トランス４１及び整流平滑回路は、２つのＤＣモータ２０，４０の電力消費を上回る電力容量を有するものに構成される。
【００２７】
この第２の実施形態に係る電動鉛筆削り付きステープラＢは、電動鉛筆削り機４の駆動源がＤＣモータ４０に構成され、ＡＣモータに比して軽量化、小型化を図ることができるので、全体重量の軽減化がなされる。また、各ＤＣモータ２０、４０にＤＣ電力を供給する電源回路を共通化できるので、電動ステープラ２と電動鉛筆削り機４とにそれぞれ個別の電源回路を構成する必要がなく構成要素の削減を図ることができる。
【００２８】
以上説明した電動鉛筆削り付きステープラＡ，Ｂは、電動鉛筆削り機３，４を下段に配し、電動ステープラ２をその上段に配しているので、鉛筆削りによって発生する削り屑がステープラの機能に影響を与えることがない。また、電動鉛筆削り機３，４を収容する下部筐体１０の天面は、電動ステープラ２を収容する上部筐体１１の底面として共用する共用面１３とし、更に共用面１３は電動ステープラ２に紙束を挿入する紙置き台を兼ねているので、２つの機能を一体に包み込む外装体の構成に無駄がなく、電動鉛筆削り付きステープラＡ，Ｂをコンパクトに構成することができる。
【産業上の利用可能性】
【００２９】
以上の説明の通り本発明によれば、電動鉛筆削り機及び電動ステープラの２つの機能を一体化し、それらを上下に配置しているので設置面積は小さく、机上を占有する面積を増加させることなく２つの機能を机上に配置することができ、鉛筆削りの機能を下段に配置しているので、鉛筆削りによって発生する削り屑はステープラの機能に影響を与えることがない。また、２つの機能を一体化することにより、共通する構成要素を共用してそれぞれを単独で構成する場合より小型化しコストダウンを図ることができる。
【図面の簡単な説明】
【００３０】
【図１】第１の実施形態に係る電動鉛筆削り付きステープラの外観形状を示す斜視図。
【図２】第１の実施形態に係る電動鉛筆削り付きステープラの構成を示す断面図。
【図３】第２の実施形態に係る電動鉛筆削り付きステープラの構成を示す断面図。
【図４】従来技術に係る電動ステープラの構成を示す断面図。
【図５】従来技術に係る電動鉛筆削り機の構成を示す断面図。
【符号の説明】
【００３１】
Ａ，Ｂ  電動鉛筆削り付きステープラ
２  電動ステープラ
３，４  電動鉛筆削り機
１０  下部筐体
１１  上部筐体
１３  共用面
２０，４０  ＤＣモータ
２１，４１  電源トランス
２３  クランクロッド
２４  ハンマー
２５  カシメ板
２７  ステープルホルダ
３０  ＡＣモータ
３１  カッター
３５  挿入口
３６  受箱
【図１】
2006326772.tif 000003
【図２】
2006326772.tif 000004
【図３】
2006326772.tif 000005
【図４】
2006326772.tif 000006
【図５】
2006326772.tif 000007